(57)【要約】【課題】  複数の同等の価値を持つ物件に対して複数の入札者が入札参加し、同一時期に一回の入札で落札者を選定する入札において、落札者選定にかかる期間を短縮するとともに、作業工数を軽減する。【解決手段】  複数の入札者から複数の物件に対する入札を受け、落札者を選定する落札者選定装置に、物件に対する入札価格及び入札数量のリストと落札限界とからなる入札情報を記憶する記憶手段と、入札者の入札情報を受け、前記記憶手段に書き込む入札受付手段と、開札後、物件毎に、該物件に対する入札価格が最も高いあるいは低い入札情報の入札者を落札候補者とする落札候補者決定手段と、いずれかの物件の落札候補者となっている入札者毎に、該入札者が落札候補者となっている物件の入札数量または入札金額の合計が該入札者の落札限界以内の場合に、該入札者を落札者として確定する落札者決定手段と、を備える。【選択図】      図１
2005056337.tif 000002
【特許請求の範囲】
【請求項１】
複数の入札者から複数の物件に対する入札を受け、落札者を選定する落札者選定装置において、
物件に対する入札価格及び入札数量のリストと入札者が許容する数量あるいは金額を示す落札限界とからなる入札情報を記憶する記憶手段と、
入札者の入札情報を受け、前記記憶手段に書き込む入札受付手段と、
開札後、物件毎に、該物件に対する入札価格が最も高いあるいは低い入札情報の入札者を落札候補者とする落札候補者決定手段と、
いずれかの物件の落札候補者となっている入札者毎に、該入札者が落札候補者となっている物件の入札数量または入札金額の合計が該入札者の落札限界以内の場合に、該入札者を落札者として確定する落札者決定手段と、
を備えることを特徴とする落札者選定装置。
【請求項２】
前記落札者決定手段は、前記入札者が落札候補者となっている物件の入札数量または入札金額の合計が該入札者の落札限界を超えている場合、該入札者を、落札限界を超えない分の物件の落札者として確定するとともに、落札限界を超えた分の物件に対する入札価格が次に高いあるいは低い入札情報の入札者を落札者候補とする、
ことを特徴とする請求項１に記載の落札者選定装置。
【請求項３】
前記記憶手段は、さらに、優先条件を記憶し、
前記落札候補者決定手段は、前記優先条件に合致する入札者を落札候補者とする、
ことを特徴とする請求項１または請求項２に記載の落札者選定装置。
【請求項４】
前記落札候補者決定手段は、物件毎に、該物件に対する入札価格が高いあるいは低い順に入札者を順位付けし、
前記落札者決定手段は、物件毎に最も高い順位を持ち、落札した物件の入札数量あるいは金額の合計が落札限界に達していない入札者を落札候補者とする、
ことを特徴とする請求項１から請求項３のいずれかの項に記載の落札者選定装置。
【請求項５】
前記記憶手段は、さらに、物件毎の物件数量を記憶し、
前記落札者決定手段は、
いずれかの物件の落札候補者となっている入札者毎に、該入札者が落札候補者となっている物件の入札数量または入札金額の合計が該入札者の落札限界以内の場合、
該物件の入札数量及び既に落札されている数量の合計が、該物件の物件数量を越えないときは、該入札者を落札者として確定し、さらに、落札された該物件の数量が該物件の物件数量に満たないときには、該物件に対する入札価格が次に高いあるいは低い入札情報の入札者を落札者候補とし、
該物件の入札数量及び既に落札されている数量の合計が、該物件の物件数量を越えるときは、該入札者を落札候補者から除外し、この除外された物件に対する入札価格が次に高いあるいは低い入札情報の入札者を落札者候補とする、
ことを特徴とする請求項１から請求項４のいずれかの項に記載の落札者選定装置。
【請求項６】
複数の入札者から複数の物件に対する入札を受け、落札者を選定する落札者選定装置に用いられる落札者選定方法であって、
物件に対する入札価格及び入札数量のリストと入札者が許容する数量あるいは金額を示す落札限界とからなる入札情報を記憶する記憶手段を用意し、
入札者の入札情報を受け、前記記憶手段に書き込み、
開札後、物件毎に、該物件に対する入札価格が最も高いあるいは低い入札情報の入札者を落札候補者とし、
いずれかの物件の落札候補者となっている入札者毎に、該入札者が落札候補者となっている物件の入札数量または入札金額の合計が該入札者の落札限界以内の場合に、該入札者を落札者として確定する、
ことを特徴とする落札者選定方法。
【請求項７】
複数の入札者から複数の物件に対する入札を受け、落札者を選定する落札者選定装置に用いられるコンピュータプログラムであって、
物件に対する入札価格及び入札数量のリストと入札者が許容する数量あるいは金額を示す落札限界とからなる入札情報の入力を受け、前記記憶手段に書き込むステップと、
開札後、物件毎に、該物件に対する入札価格が最も高いあるいは低い入札情報の入札者を落札候補者とするステップと、
いずれかの物件の落札候補者となっている入札者毎に、該入札者が落札候補者となっている物件の入札数量または入札金額の合計が該入札者の落札限界以内の場合に、該入札者を落札者として確定するステップと、
をコンピュータに実行させることを特徴とするコンピュータプログラム。
【発明の詳細な説明】
【技術分野】
【０００１】
本発明は、落札者選定装置及び方法、ならびに、コンピュータプログラムに関する。
【背景技術】
【０００２】
従来、市町村などのリサイクル推進団体とリサイクル処理業者との間でリサイクル実施の委託契約を行うための入札を行うなど、複数の同等の価値を持つ物件に対して複数の入札者が入札参加し、同一時期に一回の入札で落札者を選定する形式の入札が行われている。
一方、特許文献１には、インターネットの公開性を利用して産業廃棄物の全国規模による公開取引を行う技術について記載されている。
【特許文献１】特開２００２−１２３５９７号公報
【発明の開示】
【発明が解決しようとする課題】
【０００３】
従来、複数の同等の価値を持つ物件に対して複数の入札者が入札参加し、同一時期に一回の入札で落札者を選定する入札方式では、入札者は、全ての物件を落札できないことを見越して、自身の許容範囲を超えて複数の物件に入札することが想定される。そのため、物件毎に落札者を選定した結果、いくつかの入札者に落札が集中し、入札者の許容範囲を超えてしまう場合がある。例えば、リサイクル推進団体とリサイクル処理業者との間のリサイクル処理の委託契約を行うための入札の場合、リサイクル処理業者は、自身が処理できる限界量を超えてしまうために、落札された委託契約を全て行えないという状況が起こり得る。このとき、リサイクル処理業者は落札した委託契約のうち、処理限界量を超えた分は委託契約を行わないことが考えられる。その結果、リサイクル処理業者との委託契約ができないリサイクル推進団体が発生することになる。
【０００４】
上記のような場合、物件毎に、落札順位にしたがって他の入札者の中から落札者を選定する必要がある。これより、再びいくつかの入札者に落札が集中する可能性もあるため、落札した物件の合計数量や合計金額が、入札者の許容範囲に収まるまで同様の作業を繰り返す必要がある。しかし、従来は、落札者の許容範囲を超えていると判断された分については、人手により他の入札者への割り振りを決定していた。これは、物件及び入札者が多数の場合、人的リソース及び作業期間がかかってしまうという問題があるとともに、割り振りを行う個々の作業者の主観に依存した割り振りとなってしまうおそれがあった。
しかし、特許文献１は、複数の同等の価値を持つ物件に対して複数の入札者が入札参加し、同一時期に一回の入札で落札者を選定することを想定しておらず、上述する問題を解決するものではない。
【０００５】
本発明は、このような事情を考慮してなされたもので、その目的は、複数の同等の価値を持つ物件に対して複数の入札者が入札参加し、同一時期に一回の入札で落札者を選定する入札において、落札者選定にかかる期間を短縮するとともに、作業工数を軽減することができる落札者選定装置及び方法、ならびに、コンピュータプログラムを提供することにある。
【課題を解決するための手段】
【０００６】
この発明は、上記の課題を解決すべくなされたもので、請求項１に記載の発明は、複数の入札者から複数の物件に対する入札を受け、落札者を選定する落札者選定装置において、物件に対する入札価格及び入札数量のリストと入札者が許容する数量あるいは金額を示す落札限界とからなる入札情報を記憶する記憶手段と、入札者の入札情報を受け、前記記憶手段に書き込む入札受付手段と、開札後、物件毎に、該物件に対する入札価格が最も高いあるいは低い入札情報の入札者を落札候補者とする落札候補者決定手段と、いずれかの物件の落札候補者となっている入札者毎に、該入札者が落札候補者となっている物件の入札数量または入札金額の合計が該入札者の落札限界以内の場合に、該入札者を落札者として確定する落札者決定手段と、を備えることを特徴とする落札者選定装置である。
【０００７】
請求項２に記載の発明は、請求項１に記載の落札者選定装置であって、前記落札者決定手段は、前記入札者が落札候補者となっている物件の入札数量または入札金額の合計が該入札者の落札限界を超えている場合、該入札者を、落札限界を超えない分の物件の落札者として確定するとともに、落札限界を超えた分の物件に対する入札価格が次に高いあるいは低い入札情報の入札者を落札者候補とする、ことを特徴とする。
【０００８】
請求項３に記載の発明は、請求項１または請求項２に記載の落札者選定装置であって、前記記憶手段は、さらに、優先条件を記憶し、前記落札候補者決定手段は、前記優先条件に合致する入札者を落札候補者とする、ことを特徴とする。
【０００９】
請求項４に記載の発明は、請求項１から請求項３のいずれかの項に記載の落札者選定装置であって、前記落札候補者決定手段は、物件毎に、該物件に対する入札価格が高いあるいは低い順に前記落札候補者決定手段は、物件毎に、該物件に対する入札価格が高いあるいは低い順に入札者を順位付けし、前記落札者決定手段は、物件毎に最も高い順位を持ち、落札した物件の入札数量あるいは金額の合計が落札限界に達していない入札者を落札候補者とする、ことを特徴とする。
【００１０】
請求項５に記載の発明は、請求項１から請求項４のいずれかの項に記載の落札者選定装置であって、前記記憶手段は、さらに、物件毎の物件数量を記憶し、前記落札者決定手段は、いずれかの物件の落札候補者となっている入札者毎に、該入札者が落札候補者となっている物件の入札数量または入札金額の合計が該入札者の落札限界以内の場合、該物件の入札数量及び既に落札されている数量の合計が、該物件の物件数量を越えないときは、該入札者を落札者として確定し、さらに、落札された該物件の数量が該物件の物件数量に満たないときには、該物件に対する入札価格が次に高いあるいは低い入札情報の入札者を落札者候補とし、該物件の入札数量及び既に落札されている数量の合計が、該物件の物件数量を越えるときは、該入札者を落札候補者から除外し、この除外された物件に対する入札価格が次に高いあるいは低い入札情報の入札者を落札者候補とする、ことを特徴とする。
【００１１】
請求項６に記載の発明は、複数の入札者から複数の物件に対する入札を受け、落札者を選定する落札者選定装置に用いられる落札者選定方法であって、物件に対する入札価格及び入札数量のリストと入札者が許容する数量あるいは金額を示す落札限界とからなる入札情報を記憶する記憶手段を用意し、入札者の入札情報を受け、前記記憶手段に書き込み、開札後、物件毎に、該物件に対する入札価格が最も高いあるいは低い入札情報の入札者を落札候補者とし、いずれかの物件の落札候補者となっている入札者毎に、該入札者が落札候補者となっている物件の入札数量または入札金額の合計が該入札者の落札限界以内の場合に、該入札者を落札者として確定する、ことを特徴とする落札者選定方法である。
【００１２】
請求項７に記載の発明は、複数の入札者から複数の物件に対する入札を受け、落札者を選定する落札者選定装置に用いられるコンピュータプログラムであって、物件に対する入札価格及び入札数量のリストと入札者が許容する数量あるいは金額を示す落札限界とからなる入札情報の入力を受け、前記記憶手段に書き込むステップと、開札後、物件毎に、該物件に対する入札価格が最も高いあるいは低い入札情報の入札者を落札候補者とするステップと、いずれかの物件の落札候補者となっている入札者毎に、該入札者が落札候補者となっている物件の入札数量または入札金額の合計が該入札者の落札限界以内の場合に、該入札者を落札者として確定するステップと、をコンピュータに実行させることを特徴とするコンピュータプログラムである。
【発明の効果】
【００１３】
本発明によれば、複数の同等の価値を持つ物件に対して複数の入札者が入札参加し、落札者を選定する入札において、各物件に対して入札者の許容範囲を超えないように落札者を選定することができる。これにより、落札者選定にかかる工数及び期間を短縮することができる。加えて、入札者は、自身の許容範囲を意識せずに、より多くの物件に対して入札することが可能となる。さらに、物件の提供者は、落札者から許容範囲を超えたことによる落札のキャンセルを被ることがなくなる。また、落札者の選定基準を明確化し、入札者に開示することができる。これにより、入札の透明性、公平性を確保することができる。
【発明を実施するための最良の形態】
【００１４】
図１は、本発明の一実施の形態による入開札システムの全体構成を示すブロック図である。
ここでは、入札対象となる物件の提供者はリサイクル推進団体である市町村、物件は各市町村の缶やペットボトル、ガラスなどのリサイクル事業の委託契約、入札者はリサイクル処理業者である事業者３０ａ〜３０ｚ（以下、「事業者３０」）であり、入札及び開札は、入札センタが行うこととする。
同図において、入開札システムは、入札センタが保有する落札者選定装置としての入開札装置２０と、各市町村がそれぞれ保有する端末装置１１ａ〜１１ｚ（以下、「端末装置１１」）と、事業者３０ａ〜３０ｚがそれぞれ保有する端末装置３１ａ〜３１ｚ（以下、「端末装置３１」）とを、インターネットなどのネットワークＮを介して接続してなる。
【００１５】
端末装置１１は、例えば、パーソナルコンピュータであり、ネットワークＮを介して、入開札装置２０へ物件情報を送信する機能を有する。
物件情報は、物件識別情報、及び、物件数量情報からなる。
物件識別情報は、物件を一意に識別するための情報であり、例えば、物件名や物件コードなどが使用される。
物件数量情報は、物件数量を示す情報であり、ここでは、リサイクル処理の対象となる缶やペットボトルなどのリサイクル物品の数量を示す。
【００１６】
端末装置３１は、例えば、パーソナルコンピュータであり、ネットワークＮを介して、入開札装置２０から物件情報を取得する機能と、入札情報を入開札装置２０へ送信する機能を有する。
入札情報は、物件識別情報、入札価格情報、運搬費情報、入札数量情報、及び、搬送距離情報のリストと、落札限界情報とからなる。
物件識別情報は、入札対象の物件を一意に識別する。
入札価格情報は、入札対象の物件に対する入札価格を示す。ここでは、リサイクル物品の単位重量あたりの入札価格、すなわち、入札単価であるとする。入札単価は、単位重量あたりのリサイクル処理費用及び運搬費の合計金額である。
運搬費情報は、入札価格（入札単価）のうちの運搬費、すなわち、リサイクル物品を各市町村の保管場所から事業者３０の処理場まで搬送するための単位重量あたりの費用を示す。
入札数量情報は、入札対象の物件の入札数量を示す。
搬送距離情報は、リサイクル物品の保管場所から事業者３０の処理場まで搬送距離を示す。
落札限界情報は、事業者３０が許容できる落札限界数量を示す。ここでは、事業者３０がリサイクル処理可能なリサイクル物品の数量、すなわち、処理限界数量を示す。
【００１７】
図２は、入開札装置２０の内部を展開して示したブロック図であり、本発明と関係する機能ブロックのみ抽出して示してある。入開札装置２０は、制御手段２１、通信手段２２、入力手段２３、記憶手段２４、及び、処理手段２５を備え、例えば、１つまたは複数のサーバで構成することができる。
制御手段２１は、ＣＰＵ及び各種メモリから構成され、各部の制御や、データの一時的な格納や、データの転送等を行う。
通信手段２２は、ネットワークＮとのインタフェースを有し、端末装置１１及び端末装置３１とのデータの送受信を行う。
入力手段２３は、キーボードやボタン、マウスなどからのデータの入力を制御する。
【００１８】
記憶手段２４は、落札条件情報、入札者情報、及び、落札情報を記憶する。
落札条件情報は、入札価格以外の要因により落札順位や落札を確定するための条件を示す情報であり、部分入札可否情報、優先条件情報、除外条件情報、及び、物件優先条件情報からなる。
部分入札可否情報は、物件毎に部分入札を認めるか否かを示す。部分入札とは、ある物件に対して、その物件数量を下回る入札数量の入札を行う、すなわち、物件数量の一部にのみ入札することをいう。
優先条件情報は、物件毎あるいは全物件共通で入札価格に係らず落札順位を１位とすべき落札優先事業者としての事業者３０を特定する。これは、入札者識別情報などで示される。例えば、前年度に委託経験のある事業者３０を優先的に落札者としたい場合などに使用できる。
除外条件情報は、物件毎あるいは全物件共通で、入札価格に係らず入札者を落札者から除外するための条件を示す。例えば、極端に乖離のある入札単価による入札や、過去数年間に委託経験のある事業者３０を落札者として選択しない場合などに使用できる。入札単価の乖離は、例えば、入札価格の下限及び上限価格、全入札価格の平均との価格差や乖離の割合、収まっていなければならない標準偏差の範囲などで指定できる。
物件優先条件情報は、ある事業者３０が落札限界を超えて物件の落札候補者となった場合に、どの物件を優先的に確定していくかの条件を示す。例えば、入札数量の多い物件から確定、過去に経験のある物件から確定、搬送距離の短い物件から確定、などである。
【００１９】
入札者情報は、事業者３０毎の入札者識別情報、入札情報、入札者落札数量、入札者落札数量合計、落札順位情報、優先フラグ、及び、落札限界到達情報からなる。
入札者識別情報は、事業者３０を一意に識別する。例えば、事業者コード、事業者名などが使用される。
入札情報は、端末装置３１から受信した事業者３０の入札情報である。
入札者落札数量は、落札した物件毎の落札数量を示し、初期値は「０」である。
入札者落札数量合計は、落札した物件の落札数量の合計を示し、初期値は「０」である。
落札順位情報は、物件毎の落札順位を示す。
優先フラグは、物件毎に優先事業者であるか否かを示す。ここでは、「１（優先）」あるいは「０（非優先）」が設定される。
落札限界到達情報は、入札者落札数量合計が落札限界数量に達したか否かを示す。初期値は「落札限界未到達」であり、落札限界に達した場合には「落札限界到達」が設定される。
【００２０】
落札情報は、物件毎の物件情報、物件落札数量、確定情報、及び、落札者情報からなる。
物件情報は、各市町村の端末装置１１から受信した物件情報である。
物件落札数量は、当該物件の落札された数量を示し、初期値は「０」である。
確定情報は、物件落札数量が物件数量に達し、落札者が確定した「確定済み」であるか、まだ物件落札数量が物件数量に達していないため、全ての物件数量について落札者が確定してはいない「未確定」（初期値）であるかを示す。
落札者情報は、落札した事業者３０の入札者識別情報を示す。
【００２１】
処理手段２５は、物件登録手段２５１、条件登録手段２５２、情報配信手段２５３、入札受付手段２５４、落札候補者決定手段２５５、落札者決定手段２５６、落札者決定手段２５６、及び、落札結果出力手段２５７からなる。
物件登録手段２５１は、各市町村の端末装置１１から受信した物件情報を記憶手段２４へ書き込む。
条件登録手段２５２は、入札センタの職員が入力した落札条件情報を記憶手段２４へ書き込む。
情報配信手段２５３は、記憶手段２４内の物件情報などを読み出して事業者３０の端末装置３１へ配信する。
入札受付手段２５４は、事業者３０の端末装置３１から受信した入札情報を記憶手段２４へ書き込む。
落札候補者決定手段２５５は、開札後、記憶手段２４内の各種情報を読み出して、事業者３０へ落札順位の付与を行う。ここでは、各物件の中で最も高い順位を持つ入札者を当該物件の落札候補者とする。
落札者決定手段２５６は、落札候補者決定手段２５５が付与した落札順位に基づき、落札者を決定する。
落札結果出力手段２５７は、落札結果を画面やプリンタ、あるいは、各市町村の端末装置１１や事業者３０の端末装置３１へ出力する。
【００２２】
次に、図３〜図５を用いて入開札装置２０の処理手順について説明する。ここでは、１物件に対して、１００未満の入札があるとする。
まず、各各市町村は端末装置１１から、入開札装置２０へ物件情報を登録する。すなわち、入開札装置２０の物件登録手段２５１は、通信手段２２を介して端末装置１１からの物件情報を受け、記憶手段２４内へ書き込む。
【００２３】
物件情報の登録が終了すると、入札センタの職員は、入開札装置２０へ落札条件情報を登録する。図３は、落札条件情報の登録手順を示す図である。
入札センタの職員は、最初に、部分入札可否情報を入力する（ステップＳ１１０）。さらに、落札優先事業者を指定するための優先条件情報と、落札限界数量を超えたときにどの物件を優先して落札するかを指定する物件優先条件情報を入力する（ステップＳ１２０、ステップＳ１３０）。入開札装置２０の条件登録手段２５２は、入力手段２３を介して入力されたこれらの部分入札可否情報、優先条件情報、及び、物件優先条件情報を記憶手段２４へ書き込む。優先条件情報の書き込み時、さらに、落札優先事業者として指定された事業者３０の優先フラグに「１（優先）」が設定される。
【００２４】
続いて、入札に参加することを許可された事業者３０の端末装置３１は、ネットワークＮを介して入開札装置２０へアクセスし、物件情報を要求する。事業者３０の情報配信手段２５３は、記憶手段２４内に記憶されている物件情報を読み出して、端末装置３１へ配信する。このとき、ステップＳ１１０〜ステップＳ１３０において登録された部分入札可否情報、優先条件情報及び物件優先条件情報の全てあるいは任意の情報を配信してもよい。事業者３０は、入開札装置２０から取得した情報により、どの物件へ入札すべきかを決定し、入札情報を生成する。そして、再び入開札装置２０へアクセスし、入札情報を登録する。入開札装置２０の入札受付手段２５４は、通信手段２２を介して端末装置１１から入札情報を受け、記憶手段２４内へ書き込む。
【００２５】
入札情報の登録が締め切られると、開札が行われる前までに、センタの職員は、入開札装置２０の記憶手段２４内に登録された入札情報の入札単価の平均、最大入札単価、最低入札単価を図示しないディスプレイなどに表示させ、入札単価の上下限価格を決定する。そして、この決定した入札単価の上下限価格を入開札装置２０へ登録する。入開札装置２０の条件登録手段２５２は、入力手段２３を介して入力された入札単価の上下限価格を記憶手段２４内の除外条件情報へ書き込む。なお、この入札単価の上下限価格などの除外条件情報は、入札前に行うことでもよい。
【００２６】
図４は、開札後の落札順位付与処理フローを示す。
入開札装置２０の落札候補者決定手段２５５は、予め決められた開札時間に達した、あるいは、入札センタの職員からの開札の指示が入力されることにより、開札の開始を認識する。すると、まず、落札候補者決定手段２５５は、記憶手段２４内の部分入札可否情報を参照する。部分入札可否情報に「部分入札不可」が設定されている場合には、さらに、記憶手段２４に登録されている全事業者３０の入札情報内の入札数量情報と、物件情報の物件数量情報とを参照し、部分入札である物件があるか否かを判断する（ステップＳ２１０）。そして、部分入札不可であり、かつ、部分入札である物件が存在する場合には、部分入札である物件の落札順位情報に「８０１位」を書き込む（ステップＳ２１５）。なお、部分入札可否情報に「部分入札可」が設定されている場合や、全ての事業者３０の入札情報内に部分入札がない場合には、続くステップＳ２２０の処理を行う。
【００２７】
次に、落札候補者決定手段２５５は、記憶手段２４内の除外条件情報と、全事業者３０の入札情報内の入札価格情報とを参照し、入札単価の上限価格より大きい入札単価があるか否かを判断する（ステップＳ２２０）。入札単価の上限価格より大きい処理費用の入札がある場合には、該当する入札の落札順位情報に「９０９位」を書き込む（ステップＳ２２５）。
【００２８】
さらに、落札候補者決定手段２５５は、記憶手段２４内の除外条件情報と、全事業者３０の入札情報内の入札価格情報とを参照し、入札単価の下限価格より低い入札単価があるか否かを判断する（ステップＳ２３０）。入札単価の下限価格より低い入札単価の入札がある場合には、該当する入札の落札順位情報に「９０１位」を書き込む（ステップＳ２３５）。
【００２９】
次いで、落札候補者決定手段２５５は、記憶手段２４から優先条件情報を読み出す。そして、物件毎に、この優先条件情報を満たす事業者３０（落札優先事業者）が１事業者であるか否かを判断する（ステップＳ２４０）。優先条件情報を満たす事業者３０が１事業者である物件がある場合、該当する落札順位情報に「１位」を書き込む（ステップＳ２４５）。なお、除外条件を優先させる場合には、「８０１位」、「９０９位」、「９０１位」などの落札順位が付与されていない場合にのみ、「１位」を付与する。
【００３０】
続いて、落札候補者決定手段２５５は、全ての物件毎に、全ての入札されている事業者３０のうち、まだ落札順位が付与されていない事業者３０について入札情報内の入札価格情報を基に落札順位を付与していく（ステップＳ２５０）。これは、入札単価が低い順に、そして、入札単価が同じ場合には、運搬費が低い順に、これまでに未付与の順位のうち最も小さい順位を付与し、落札順位情報に書き込んでいく。例えば、ある物件に対して既に１〜３位、８０１位がすでに事業者３０へ付与されている場合、未付与の順位のうち最も小さい順位とは４位になる。
そして、全ての物件について、入札されている全ての事業者３０へ落札順位を付与すると、落札順位付与処理を終了し、落札確定処理を行う。
【００３１】
図５は、落札確定処理フローを示す。ここでは、物件優先条件情報に、「入札数量の多い物件から確定」が設定されているものとする。
入開札装置２０の落札者決定手段２５６は、注目する落札順位を１位から９９位まで順に変えていきながら、この注目している落札順位の未確定物件を持ち、落札限界に達していない各事業者３０、すなわち、いずれかの物件の落札候補者となっている事業者３０それぞれについて、落札限界を超えない範囲で物件の落札者として確定していく。具体的には、以下の処理を行う。
まず、現在注目している事業者３０の落札限界数量と、現在注目している落札順位を持つ未確定物件の入札数量の合計及び入札者落札数量合計の総和とを比較する（ステップＳ３１０）。落札限界数量が、総和より大きい場合は、当該事業者３０が現在注目している落札順位を持つ未確定物件の中で、最も入札数量の多い物件を選択する（ステップＳ３１５）。そして、この選択した未確定物件の入札数量と、当該未確定物件のこれまでの物件落札数量との和が物件数量を超えるか否かを判断する（ステップＳ３２０）。超えていない場合には、現在注目している当該事業者３０（落札候補者）を、選択した未確定物件の落札者として確定する（ステップＳ３２５）。落札者決定手段２５６は、記憶手段２４内の当該事業者３０の入札者落札数量へ落札した物件の入札数量を書き込み、さらに、入札者落札数量合計に、落札した物件の入札数量を加算する。また、落札した物件の落札者情報へ当該事業者３０の入札者識別情報を書き込むとともに、物件落札数量に入札数量を加算する。このとき、物件落札数量が物件数量に達した場合には、確定情報に「確定済み」を設定する。
また、ステップＳ３２０において、選択した未確定物件の入札数量と、当該未確定物件のこれまでの物件落札数量との和が物件数量を超える場合には、現在注目している事業者３０の当該未確定物件の落札順位情報に、現在の順位に１００を加えた順位を書き込む（ステップＳ３３０）。これにより、当該事業者３０は、落札候補者から除外され、次に低い入札価格の事業者３０が落札候補者となる。
そして、落札者決定手段２５６は、次に入札数量の多い未確定物件を選択し（ステップＳ３４０）、注目している落札順位を持つ未確定物件全てについてステップＳ３１５〜ステップＳ３４０の処理を繰り返す。
【００３２】
一方、ステップＳ３１０において、落札限界数量が、総和以下である場合は、当該事業者３０が現在注目している落札順位を持つ未確定物件の中で、最も入札数量の多い物件を選択する（ステップＳ３５０）。そして、この選択した未確定物件の入札数量と、現在までの入札者落札数量合計との和が落札限界数量を超えるか否かを判断する（ステップＳ３５５）。超えていない場合には、さらに、この選択した未確定物件の入札数量と、当該未確定物件のこれまでの物件落札数量との和が物件数量を超えるか否かを判断する（ステップＳ３６０）。超えていない場合には、現在注目している当該事業者３０を、選択した未確定物件の落札者として確定する（ステップＳ３６５）。落札者決定手段２５６は、記憶手段２４内の当該事業者３０の事業者落札情報へ落札した物件の入札数量を書き込み、さらに、入札者落札数量合計に、落札した物件の入札数量を加算する。また、落札した物件の落札者情報へ当該事業者３０の入札者識別情報を書き込むとともに、物件落札数量に入札数量を加算する。このとき、物件落札数量が物件数量に達した場合には、確定情報に「確定済み」を設定する。
また、ステップＳ３５５において、選択した未確定物件の入札数量と、現在までの入札者落札数量合計との和が落札限界数量を超えていると判断した場合、あるいは、ステップＳ３６０において、選択した未確定物件の入札数量と、当該未確定物件のこれまでの物件落札数量との和が物件数量を超える場合には、当該事業者３０の選択した未確定物件の落札順位に、現在の順位に１００を加えた順位を付与する（ステップＳ３７０）。
【００３３】
そして、次に入札数量の多い未確定物件を選択して（ステップＳ３７５）、ステップＳ３５５〜ステップＳ３７５の処理を繰り返す。そして、当該事業者３０が現在注目している落札順位を持つ全ての未確定物件について処理が終了し、当該事業者３０の入札者落札数量合計が落札限界数量に達した場合は、落札限界到達情報に「落札限界到達」を設定する（ステップＳ３８０）。これにより、当該事業者３０は、落札候補者から除外され、部分入札がある場合には、次に低い入札価格の事業者３０が落札候補者となる。
【００３４】
さらに、現在注目している落札順位を持つ他の事業者３０を注目する事業者３０として、ステップＳ３１０〜ステップＳ３８０の処理を繰り返す。
そして、現在注目している落札順位を持つ全ての事業者３０について処理を終了した場合には、注目する落札順位を、現在の落札順位に１を加えた順位として上記処理を繰り返し、９９位まで処理し終えると、落札確定処理を終了する。
【００３５】
上記のように、落札者を確定した後、落札結果出力手段２５７は、落札結果をディスプレイやプリンタ、あるいは、各市町村の端末装置１１や事業者３０の端末装置３１へ出力する。落札結果は、例えば、物件毎の落札者、落札単価、落札量、入札した事業者３０の順位などである。
【００３６】
上記落札確定処理においては、未確定物件の中で、最も入札数量の多い物件から落札の確定処理を行っているが、物件優先条件情報に従い、過去に経験のある物件から確定する、搬送距離の短い物件から確定するなどとしてもよい。
また、落札限界数量をどれだけ超えて落札としてもよいかを示す補正値を予め設定しておくことにより、ステップＳ３１０及びステップＳ３５５において、落札限界数量自体ではなく、補正値により補正された落札限界数量と比較することもできる。例えば、補正値が「１０％」、落札限界数量が「１００ｔ」であった場合、落札限界数量「１００ｔ」の代わりに、補正された落札限界数量「１１０ｔ」との比較を行う。これにより、わずかに落札限界数量を超えたために落札できないことを防ぐ。
【００３７】
次に、図６から図１２を用いて具体的な選定処理について説明する。
ここでは、以下の落札条件情報が設定されているとする。
部分入札可否情報：全ての物件について部分入札可  
優先条件情報：全ての物件について事業者３０ｚが優先事業者  
除外条件情報：下限価格５円／ｔ、上限価格３０円／ｔ  
物件優先条件情報：入札数量の多い物件から確定
【００３８】
図６は、開札後の落札順位付与前の状態を示す。
同図において、物件名「Ａ市」、「Ｂ市」、「Ｃ市」、「Ｄ市」、「Ｅ市」の物件（以下、物件「Ａ市」、物件「Ｂ市」、物件「Ｃ市」、物件「Ｄ市」、物件「Ｅ市」と記載）物件数量は、それぞれ「３０ｔ」、「１００ｔ」、「７０ｔ」、「１００ｔ」、「２００ｔ」であることを示している。
一方、事業者３０ｗは、物件「Ａ市」に、入札単価「１円」、うち運搬費「０円」、入札数量「３０ｔ」の入札を、物件「Ｂ市」に、入札単価「２０円／ｔ」、うち運搬費「５円／ｔ」、入札数量「１００ｔ」の入札を、物件「Ｃ市」に、入札単価「１５円／ｔ」、うち運搬費「５円／ｔ」、入札数量「１０ｔ」の入札を、物件「Ｄ市」に、入札単価「１０円／ｔ」、うち運搬費「２円／ｔ」、入札数量「１００ｔ」の入札を、物件「Ｅ市」に、入札単価「１８円／ｔ」、うち運搬費「３円／ｔ」、入札数量「２００ｔ」の入札を同時に行ったことを示す。
【００３９】
同様に、事業者３０ｘは、物件「Ａ市」に、入札単価「１２円／ｔ」、うち運搬費「３円／ｔ」、入札数量「３０ｔ」の入札を、物件「Ｂ市」には、入札単価「１７円／ｔ」、うち運搬費「４円／ｔ」、入札数量「１００ｔ」の入札を、物件「Ｃ市」には、入札単価「１５円／ｔ」、うち運搬費「４円／ｔ」、入札数量「７０ｔ」の入札を、物件「Ｄ市」には、入札単価「１２円／ｔ」、うち運搬費「４円／ｔ」、入札数量「１００ｔ」の入札を、物件「Ｅ市」には、入札単価「１７円／ｔ」、うち運搬費「４円／ｔ」、入札数量「２００ｔ」の入札を同時に行ったことを示す。
【００４０】
また、事業者３０ｙは、物件「Ａ市」に、入札単価「１１０円／ｔ」、うち運搬費「２５円／ｔ」、入札数量「３０ｔ」の入札を、物件「Ｂ市」に、入札単価「１７円／ｔ」、うち運搬費「３円／ｔ」、入札数量「１００ｔ」の入札を、物件「Ｃ市」に、入札単価「１４円／ｔ」、うち運搬費「３円／ｔ」、入札数量「７０ｔ」の入札を、物件「Ｄ市」に、入札単価「１１円／ｔ」、うち運搬費「４円／ｔ」、入札数量「１００ｔ」の入札を同時に行ったことを示す。
また、事業者３０ｚは、物件「Ａ市」に、入札単価「１３円／ｔ」、うち運搬費「２円／ｔ」、入札数量「３０ｔ」の入札を、物件「Ｃ市」に、入札単価「１３円／ｔ」、うち運搬費「２円／ｔ」、入札数量「５０ｔ」の入札を同時に行ったことを示す。
加えて、優先条件情報として全ての物件についてサイクル事業者３０ｚが優先事業者であることが指定されている、事業者３０ｚが入札した物件「Ａ市」及び「Ｃ市」に対応する優先フラグに「１（優先）」が設定される。
【００４１】
図７は、部分入札可否、除外条件、及び、優先条件により落札順位付与を行ったときの状態を示す。
ここでは、部分入札可否情報に全ての物件について「部分入札可」が設定されているため（図４、ステップＳ２１０：Ｎｏ）、除外される事業者３０はない。
また、事業者３０ｙの物件「Ａ市」に対する入札単価が、除外条件情報で示される上限価格「３０円／ｔ」を上回っているいため（図４、ステップＳ２２０：Ｙｅｓ）、落札順位を「９０９位」とする（図４、ステップＳ２２５）。また、事業者３０ｗの物件「Ａ市」に対する入札単価が、除外条件情報で示される下限価格「５円／ｔ」を下回っているいため（図４、ステップＳ２３０：Ｙｅｓ）、落札順位を「９０１位」とする（図４、ステップＳ２３５）。
【００４２】
また、物件「Ａ市」及び「Ｃ市」について、事業者３０ｚのみに優先フラグ「１（優先）」が設定されている（図４、ステップＳ２４０Ｙｅｓ）。従って、事業者３０ｚが入札した物件「Ａ市」及び「Ｃ市」に対する落札順位を「１位」とする（図４、ステップＳ２４５）。
【００４３】
図８は、図４のループ１の処理により、入札単価及び運搬費による落札順位の付与を行ったときの状態を示す。
図７において、物件「Ａ市」については、落札順位が未付与の事業者３０ｘのみであり、すでに、事業者３０ｚに「１位」が付与されている。従って、図８に示すように、事業者３０ｘに対しては、次に小さい順位「２位」が付与される。
また、図７において、物件「Ｂ市」については、入札した全ての事業者３０ｗ、３０ｘ、３０ｙに対して落札順位が未付与である。そして、事業者３０ｘ、３０ｙとも一番低い同じ入札単価により入札している。しかし、事業者３０ｙの運搬費が事業者３０ｘの運搬費よりも低いため、図８に示すように、落札順位は事業者３０ｙが「１位」、事業者３０ｘが「２位」となる。そして、事業者３０ｗには「３位」が付与される。
【００４４】
同様に、物件「Ｃ市」については、事業者３０ｚへ「１位」がすでに付与されているため、入札単価が低い順、入札単価が同じ場合には運搬費が低い順、すなわち、事業者３０ｙ、３０ｘ、３０ｗに対して「２位」、「３位」、「４位」が付与される。また、物件「Ｄ市」については、入札単価が安い順、すなわち、事業者３０ｗ、３０ｙ、３０ｘに対して「１位」、「２位」、「３位」が付与され、物件「Ｅ市」については、事業者３０ｘ、３０ｗに対して「１位」、「２位」が付与される。
【００４５】
図９は、１位の落札順位を持つ事業者３０について落札を確定したときの状態を示す。これは、図５の注目する落札順位が１位のときのループ４における処理に対応する。なお、図中太線は確定済みの物件あるいは落札限界となった事業者３０であることを示す。
ここでは、事業者３０ｗ、３０ｘ、３０ｙ、３０ｚとも、１位の落札順位が付与されている未確定物件を持つ。そこで、まず、事業者３０ｗに注目してみると、１位の落札順位が付与されている未確定物件は「Ｄ市」のみであり、入札数量は「１００ｔ」である。事業者３０ｗのこれまでの入札者落札数量合計は「０ｔ」であり、これは、事業者３０ｗの落札限界数量「２５０ｔ」に達しない（ステップＳ３１０“＞”）。また、物件「Ｄ市」のこれまでの物件落札数量は「０ｔ」であり、入札数量は「１００ｔ」を加えても物件数量「１００ｔ」を超えない（ステップＳ３２０”≧”）。従って、事業者３０ｗを物件「Ｄ市」の落札者として確定する（ステップＳ３２５）。
これにより、事業者３０ｗの物件「Ｄ市」に対応する入札者落札数量に「１００ｔ」が書き込まれ、入札者落札数量合計が「１００ｔ」となる。また、物件「Ｄ市」の物件落札数量は「１００ｔ」となり、物件数量に達するため、物件「Ｄ市」の確定情報に「確定済み」が設定される。さらに、物件「Ｄ市」の落札情報内の落札者情報に事業者３０ｗの入札者識別情報が書き込まれる。
【００４６】
次に、事業者３０ｘに注目してみると、１位の落札順位が付与されている未確定物件は「Ｅ市」のみであり、入札数量は「２００ｔ」である。事業者３０ｘのこれまでの入札者落札数量合計は「０ｔ」であり、これは、事業者３０ｘの落札限界数量「３００ｔ」に達しない（ステップＳ３１０“＞”）。また、物件「Ｅ市」のこれまでの物件落札数量は「０ｔ」であり、入札数量は「２００ｔ」を加えても物件数量「２００ｔ」を超えない（ステップＳ３２０”≧”）。従って、事業者３０ｘを物件「Ｅ市」の落札者として確定する（ステップＳ３２５）。
これにより、事業者３０ｘの物件「Ｅ市」に対応する入札者落札数量に「２００ｔ」が書き込まれ、入札者落札数量合計が「２００ｔ」となる。また、物件「Ｅ市」の物件落札数量は「２００ｔ」となり、物件数量に達するため、物件「Ｅ市」の確定情報に「確定済み」が設定される。さらに、物件「Ｅ市」の落札情報内の落札者情報に事業者３０ｘの入札者識別情報が書き込まれる。
【００４７】
続いて、事業者３０ｙに注目してみると、１位の落札順位が付与されている未確定物件は「Ｂ市」のみであり、入札数量は「１００ｔ」である。事業者３０ｙのこれまでの入札者落札数量合計は「０ｔ」であり、これは、事業者３０ｙの落札限界数量「１００ｔ」に達する（ステップＳ３１０“≦”）。そして、この物件「Ｂ市」が選択されるが（ステップＳ３５０）、入札数量と入札者落札数量合計の和は、落札限界数量を超えない（ステップＳ３５５”≧”）。また、物件「Ｂ市」のこれまでの物件落札数量は「０ｔ」であり、入札数量「１００ｔ」を加えても物件数量「１００ｔ」を超えない（ステップＳ３６０”≧”）。従って、事業者３０ｙを落札者として確定する（ステップＳ３６５）。
これにより、事業者３０ｙの物件「Ｂ市」に対応する入札者落札数量に「１００ｔ」が書き込まれる。そして、入札者落札数量合計が「１００ｔ」となり、事業者３０ｙの落札限界到達情報には「到達」が設定される（ステップＳ３８０）。また、物件「Ｂ市」の物件落札数量は「１００ｔ」となり、物件数量に達するため、物件「Ｂ市」の確定情報に「確定済み」が設定される。さらに、物件「Ｂ市」の落札情報内の落札者情報に事業者３０ｙの入札者識別情報が書き込まれる。
【００４８】
最後に、事業者３０ｚに注目してみると、１位の落札順位が付与されている未確定物件は「Ａ市」と「Ｃ市」である。事業者３０ｚのこれまでの入札者落札数量合計は「０ｔ」であるが、物件「Ａ市」及び「Ｃ市」の入札数量の合計は「８０ｔ」となり、落札限界数量「５０ｔ」を超える（ステップＳ３１０“≦”）。このとき、物件優先条件情報には「入札数量の多い物件から順に確定」が設定されているため、まず、入札数量の多い物件「Ｃ市」が選択される（図５、ステップＳ３５０）。そして、物件「Ｃ市」の入札数量「５０ｔ」とこれまでの入札者落札数量合計「０ｔ」の合計は、落札限界「５０ｔ」を超えない（ステップＳ３５５”≧”）。また、物件「Ｃ市」のこれまでの物件落札数量は「０ｔ」であり、入札数量「５０ｔ」を加えても物件数量「７０ｔ」を超えない（ステップＳ３２０”≧”）。従って、事業者３０ｚを落札者として確定する（ステップＳ３６５）。
これにより、事業者３０ｚの物件「Ｃ市」に対応する入札者落札数量に「５０ｔ」が書き込まれる。また、物件「Ｃ市」の物件落札数量合計は「５０ｔ」となるが、物件数量「７０ｔ」に満たないため、確定情報は「未確定」のままである。そして、物件「Ｃ市」の落札情報内の落札者情報に事業者３０ｚの入札者識別情報が書き込まれる。
【００４９】
続いて、次に入札数量の多い未確定物件である物件「Ａ市」が選択される（ステップＳ３７５）。選択された物件「Ａ市」の入札数量「３０ｔ」とこれまでの入札者落札数量合計「５０ｔ」の和は、落札限界「５０ｔ」を超えるため（ステップＳ３５５”＜”）、物件「Ａ市」の落札順位は、１００を加えた「１０１位」となる。
そして、１位の未確定物件「Ａ市」及び「Ｃ市」について処理を終えたとき、事業者落札量は「５０ｔ」となり、事業者３０ｚの落札限界に達するため、落札限界到達情報には「落札限界到達」が設定される（ステップＳ３８０）。
【００５０】
図１０は、２位の落札順位を持つ落札限界に達していない事業者３０について落札を確定したときの状態を示す。これは、図５の注目する落札順位が２位のときのループ４における処理に対応する。
ここでは、落札限界に達していない事業者３０ｘが、２位の落札順位が付与されている未確定物件「Ａ市」を持つ。事業者３０ｘのこれまでの入札者落札数量合計は「２００ｔ」、物件「Ａ市」の入札数量は「３０ｔ」であるため、これらの合計は落札限界数量「３００ｔ」に達しない（ステップＳ３１０“＞”）。また、物件「Ａ市」のこれまでの物件落札数量は「０ｔ」であり、入札数量は「３０ｔ」を加算しても物件数量「３０ｔ」を超えない（ステップＳ３２０”≧”）。従って、事業者３０ｘを物件「Ａ市」の落札者として確定する（ステップＳ３２５）。
これにより、事業者３０ｘの物件「Ａ市」に対応する入札者落札数量に「３０ｔ」が書き込まれ、入札者落札数量合計が「２３０ｔ」となる。落札限界到達情報は「落札限界未到達」のままである。また、物件「Ａ市」の物件落札数量は「３０ｔ」となり、物件数量に達するため、物件「Ａ市」の確定情報に「確定済み」が設定される。さらに、物件「Ａ市」の落札情報内の落札者情報に事業者３０ｘの入札者識別情報が書き込まれる。
【００５１】
図１１は、３位の落札順位を持つ落札限界に達していない事業者３０について落札を確定したときの状態を示す。これは、図５の注目する落札順位が３位のときのループ４における処理に対応する。
ここでは、落札限界に達していない事業者３０ｘが、３位の落札順位が付与されている未確定物件「Ｃ市」を持つ。事業者３０ｘのこれまでの入札者落札数量合計は「２３０ｔ」、物件「Ｃ市」の入札数量は「７０ｔ」であるため、これらの合計は落札限界数量「３００ｔ」を超えない（ステップＳ３５５”≧”）。しかし、物件「Ｃ市」のこれまでの物件落札数は「５０ｔ」であり、入札数量「７０ｔ」を加算すると、物件「Ｃ市」の物件数量「７０ｔ」を超えてしまう（ステップＳ３６０”＜”）。従って、事業者３０ｘの物件「Ｃ市」の落札順位は、１００を加えた「１０３位」となる（ステップＳ３７０）。
【００５２】
図１２は、４位の落札順位を持つ落札限界に達していない事業者３０について落札を確定したときの状態を示す。これは、図５の注目する落札順位が４位のときのループ４における処理に対応する。
ここでは、落札限界に達していない事業者３０ｗが、４位の落札順位が付与された未確定物件「Ｃ市」を持つ。事業者３０ｗのこれまでの入札者落札数量合計は「１００ｔ」、物件「Ｃ市」の入札数量は「１０ｔ」であるため、合計は落札限界数量「２５０ｔ」に達しない（ステップＳ３１０“＞”）。また、物件「Ｃ市」のこれまでの物件落札数量は「５０ｔ」であり、入札数量は「１０ｔ」を加算しても物件数量「７０ｔ」を超えない（ステップＳ３２０”≧”）。従って、事業者３０ｗを物件「Ｃ市」の落札者として確定する（ステップＳ３２５）。
これにより、事業者３０ｗの物件「Ｃ市」に対応する入札者落札数量に「１０ｔ」が書き込まれ、入札者落札数量合計が「１１０ｔ」となる。落札限界到達情報は「落札限界未到達」のままである。また、物件「Ｃ市」の物件落札数量は「６０ｔ」となる。しかし、物件数量「７０ｔ」には達しないため、物件「Ｃ市」の確定情報は「未確定」のままである。また、物件「Ｃ市」の落札情報内の落札者情報に事業者３０ｗの入札者識別情報が書き込まれる。
【００５３】
なお、入札対象の物件を、異なる産地・製造業者の石油・化学薬品などのその価値や品質等に著しい差異のない物品とすることもできる。この場合、落札順位は、入札金額が高い順に付与される。このとき、さらに、落札限界情報を、入札者が支払える金額とすることもできる。すなわち、入札者落札数量を、落札した物件に対して支払う金額（例えば、入札金額が入札単価であれば、入札単価×入札数量）とし、ステップＳ３１０においては、現在注目している事業者３０の落札限界情報と、現在注目している落札順位を持つ未確定物件に対して支払う金額の合計及び入札者落札数量合計の総和とを比較する。そして、ステップＳ３５５においては、選択した未確定物件に対して支払う金額と、入札者落札数量合計との和が落札限界情報を超えるか否かを判断する。
【００５４】
本実施の形態によれば、複数の同等の価値を持つ物件に対して複数の入札者が入札参加し、落札者を選定する入札において、各物件に対して入札者の許容範囲を超えないように落札者を選定することができる。これにより、落札者選定にかかる工数及び期間を短縮することができる。加えて、入札者は、自身の許容範囲を意識せずに、より多くの物件に対して入札することが可能となる。さらに、物件の提供者は、落札者から許容範囲を超えたことによる落札のキャンセルを被ることがなくなる。また、落札者の選定基準を明確化し、入札者に開示することができる。これにより、入札の透明性、公平性を確保することができる。
【００５５】
上記実施の形態によれば、複数の同等の価値を持つ物件に対して複数の入札者が入札参加し、同一時期に一回の入札で落札者を選定する入札において、各物件に対して入札者の許容範囲を超えないように落札者を選定することができる。これにより、落札者選定にかかる工数及び期間を短縮することができる。加えて、入札者は、自身の許容範囲を意識せずに、より多くの物件に対して入札することができる。また、物件の提供者は、落札者が許容範囲を超えたことによる落札のキャンセルを被ることがなくなる。
また、入札者は、各物件に対して部分入札を行うことができる。
また、落札者の選定基準を明確化し、入札者に開示することができる。これにより、入札の透明性、公平性を確保することができる。
【００５６】
なお、上述の端末装置１１、端末装置３１、及び、入開札装置２０は、内部にコンピュータシステムを有している。そして、上述した端末装置１１、端末装置３１、及び、入開札装置２０の処理手段２５内の各手段の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００５７】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００５８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【産業上の利用可能性】
【００５９】
本発明は、各市町村のリサイクル事業、異なる産地・製造業者の石油・化学薬品など、その価値や品質等に著しい差異のない複数の物件に対して複数の入札者が存在する場合の落札者を選択するために使用することが想定される。
【図面の簡単な説明】
【００６０】
【図１】本発明の一実施の形態による入開札システムの全体構成を示すブロック図である。
【図２】図１に示す入開札装置の内部構成を示すブロック図である。
【図３】同実施の形態による落札条件情報の登録手順を示す図である。
【図４】同実施の形態による開札後の落札順位付与処理フローを示す図である。
【図５】同実施の形態による落札確定処理フローを示す図である。
【図６】同実施の形態による開札後の落札順位付与前の状態を示す図である。
【図７】同実施の形態による部分入札可否、除外条件、及び、優先条件に基づく落札順位付与を行ったときの状態を示す図である。
【図８】同実施の形態による入札単価及び運搬費による落札順位の付与を行ったときの状態を示す図である。
【図９】同実施の形態による１位の落札順位を持つ事業者について落札を確定したときの状態を示す図である。
【図１０】同実施の形態による２位の落札順位を持つ落札限界に達していない事業者について落札を確定したときの状態を示す図である。
【図１１】同実施の形態による３位の落札順位を持つ落札限界に達していない事業者について落札を確定したときの状態を示す図である。
【図１２】同実施の形態による４位の落札順位を持つ落札限界に達していない事業者について落札を確定したときの状態を示す図である。
【符号の説明】
【００６１】
１１ａ〜１１ｚ、３１ａ〜３１ｚ…端末装置
２０…入開札装置（落札者選定装置）
２１…制御手段
２２…通信手段
２３…入力手段
２４…記憶手段
２５…処理手段
３０ａ〜３０ｚ…事業者
２５１…物件登録手段
２５２…条件登録手段
２５３…情報配信手段
２５４…入札受付手段
２５５…落札候補者決定手段
２５６…落札者決定手段
２５７…落札結果出力手段
【図１】
2005056337.tif 000003
【図２】
2005056337.tif 000004
【図３】
2005056337.tif 000005
【図４】
2005056337.tif 000006
【図５】
2005056337.tif 000007
【図６】
2005056337.tif 000008
【図７】
2005056337.tif 000009
【図８】
2005056337.tif 000010
【図９】
2005056337.tif 000011
【図１０】
2005056337.tif 000012
【図１１】
2005056337.tif 000013
【図１２】
2005056337.tif 000014